(57)【要約】      （修正有）【課題】  容易に収容されているグロメットを確認することのできるグロメット保護具を提供する。【解決手段】  自動車の車体に密着する略平坦なシール部を保護するために、一対の壁部２０、３０の間に収容する。この収容状態で、内部に収容されているグロメットが第１のグロメットであるか、あるいは第２のグロメットであるかを識別するための識別手段３２Ｌ、３２Ｒを壁部３０に設けたので、収容しているグロメットを識別するために、従来のようにいちいち蓋を開けるような手間をかける必要がなく、容易に識別できる。【選択図】  図１
2005168130.tif 000002
【特許請求の範囲】
【請求項１】
自動車の車体に密着する略平坦なシール部と、前記シール部に設けられた貫通孔に連通する筒部とを備え、
前記シール部の平面形状が異なる第１グロメットおよび第２グロメットのうちのいずれかにおける前記シール部を保護するために、
前記シール部を厚み方向に挟持するように収容可能な一対の壁部を備えるグロメット保護具であって、
前記壁部に前記第１グロメットおよび前記第２グロメットに該保護具を装着した状態で、いずれかのグロメットを識別可能な識別手段が設けられていることを特徴とするグロメット保護具。
【請求項２】
前記識別手段が、前記壁部に形成された少なくとも一つ以上の識別孔を有し、前記第１グロメットおよび前記第２グロメットのうちのいずれかにおける前記シール部が外部から視認可能な位置に前記識別孔が配置されていることを特徴とする請求項１に記載したグロメット保護具。
【請求項３】
前記識別手段が第１識別孔および第２識別孔を有し、
前記第１識別孔および前記第２識別孔がそれぞれ前記第１グロメットにおける前記シール部および前記第２グロメットにおける前記シール部を個別に外部から視認可能な位置に配置されていることを特徴とする請求項２に記載したグロメット保護具。
【請求項４】
前記第１グロメットおよび前記第２グロメットが、それぞれ前記車体と前記車体の右側のドアとの間に配置される右側ドア用グロメットであるとともに、前記車体と前記車体の左側ドアとの間に配置される左側ドア用グロメットであることを特徴とする請求項１および請求項２のうちのいずれかに記載したグロメット保護具。
【発明の詳細な説明】
【技術分野】
【０００１】
本発明はグロメット保護具に係り、輸送時等に例えば自動車に用いるグロメットの平坦部分であるシール部を保護するためのグロメット保護具に関する。
【背景技術】
【０００２】
従来より、例えば自動車に用いるグロメットの保護具としては、図６に示すようなものが開示されている（例えば特許文献１参照）。
図６に示すように、グロメット保護具１００は、樹脂成型によって一体物として形成されたケース１０１（底板１０１ａ、側壁１０１ｂ）とそれに被さる蓋１０２からなり、連設部１０３により開閉可能となっている。このグロメット保護具１００は左右対象の形状をしており、左右用のグロメットのシール部Ｇを大きく内包できるようになっている。
【０００３】
ケース１０１の側壁１０１ｂには２段の壁１０１ｃが設けられており、蓋１０２には係止部１０２ａが設けられていて、２段の壁１０１ｃに係止部１０２ａが嵌り込むようになっている。蓋１０２には、開閉の際に蓋１０２を撓ませるために指を挿入するための挿入穴１０４が設けられている。
ケース１０１の底板１０１ａには、グロメットのシール部Ｇに設けられている図示省略のねじ穴に嵌入して固定するための突起１０５が設けられている。また、蓋１０２の内面には、蓋１０２を支えるとともに、グロメット収容時に厚み方向への移動を阻止するための突起１０６が設けられている。
【特許文献１】特開２００１−３３３５２２号公報（図６）
【発明の開示】
【発明が解決しようとする課題】
【０００４】
ところで、前述したようなグロメット保護具１００をグロメットのシール部Ｇに装着した保護状態では、グロメット保護具１００の内部に収容・保護されているグロメットを確認することができない。確認するには蓋１０２を開けなければならないため面倒であるという不都合があった。また、図６に示すような指を挿入するための挿入穴１０４からシール部Ｇを視認できる場合でも、両方の挿入穴１０４からシール部Ｇが見えるため、グロメットが右用なのか左用なのか識別することができないという問題があった。
【０００５】
本発明は、前述した問題点に鑑みてなされたものであり、その目的は、容易に収容されているグロメットを確認することのできるグロメット保護具を提供することにある。
【課題を解決するための手段】
【０００６】
前述した目的を達成するために、本発明に係るグロメット保護具は、自動車の車体に密着する略平坦なシール部と、前記シール部に設けられた貫通孔に連通する筒部とを備え、前記シール部の平面形状が異なる第１グロメットおよび第２グロメットのうちのいずれかにおける前記シール部を保護するために、前記シール部を厚み方向に挟持するように収容可能な一対の壁部を備えるグロメット保護具であって、前記壁部に前記第１グロメットおよび前記第２グロメットに該保護具を装着した状態で、いずれかのグロメットを識別可能な識別手段が設けられていることを特徴としている。
【０００７】
このように構成されたグロメット保護具においては、自動車の車体に密着する略平坦なシール部を保護するために、一対の壁部の間に収容する。この収容状態で、内部に収容されているグロメットが例えば左用の第１のグロメットであるか、あるいは右用の第２のグロメットであるかを識別するための識別手段を壁部に設けたので、収容しているグロメットを識別するために、従来のようにいちいち蓋を開けるような手間をかける必要がなく、容易に識別できる。
【０００８】
また、本発明に係るグロメット保護具は、前記識別手段が、前記壁部に形成された少なくとも一つ以上の識別孔を有し、前記第１グロメットおよび前記第２グロメットのうちのいずれかにおける前記シール部が外部から視認可能な位置に前記識別孔が配置されていることを特徴としている。
【０００９】
このように構成されたグロメット保護具においては、グロメット保護具に収容されているグロメットが、第１グロメットあるいは第２グロメットのいずれか一方のみを視認できる識別孔を壁部に形成したので、従来のようにいちいち蓋を開けるような手間をかける必要がなく、容易に識別できる。
【００１０】
また、本発明に係るグロメット保護具は、前記識別手段が第１識別孔および第２識別孔を有し、前記第１識別孔および前記第２識別孔がそれぞれ前記第１グロメットにおける前記シール部および前記第２グロメットにおける前記シール部を個別に外部から視認可能な位置に配置されていることを特徴としている。
【００１１】
このように構成されたグロメット保護具においては、外部からグロメットを識別する識別手段として、第１グロメットのシール部を識別する第１識別孔と、第２グロメットのシール部を識別する第２識別孔を設けたので、いずれの識別孔からシール部が視認できるかで、グロメットを識別できる。
このため、従来のようにいちいち蓋を開けるような手間をかける必要がなく、容易に識別できる。
【００１２】
また、本発明に係るグロメット保護具は、前記第１グロメットおよび前記第２グロメットが、それぞれ前記車体と前記車体の右側のドアとの間に配置される右側ドア用グロメットであるとともに、前記車体と前記車体の左側ドアとの間に配置される左側ドア用グロメットであることを特徴としている。
【００１３】
このように構成されたグロメット保護具においては、グロメット保護具に収容・保護されているグロメットが、右側ドア用グロメットであるか、あるいは左側ドア用グロメットであるかを外部から容易に識別できる。
【発明の効果】
【００１４】
本発明によれば、内部に収容されているグロメットを識別するための識別手段を壁部に設けたので、従来のようにいちいち蓋を開けるような手間をかける必要がなく、容易に収容しているグロメットを識別できる。
【発明を実施するための最良の形態】
【００１５】
以下、本発明に係る実施形態を図面に基づいて詳細に説明する。図１（Ａ）は本発明の実施形態に係るグロメット保護具を開けた状態を外側から見た平面図、図１（Ｂ）は図１（Ａ）中Ｂ方向から見た側面図、図２（Ａ）はグロメット保護具を開けた状態を内側から見た平面図、図２（Ｂ）は図２（Ａ）中Ｂ−Ｂ位置の断面図、図３はグロメットを収容・保護している状態を示す平面図、図４は図３中ＩＶ方向から見た正面図、図５は識別孔を通して視認される状態を示す説明図である。
【００１６】
図１に示すように、本発明の実施形態であるグロメット保護具１０は、例えば図４に示すようなグロメット４０の保護に用いられるものである。
このグロメット４０は、自動車の車体に密着する略平坦なシール部４１と、このシール部４１に設けられた貫通孔４２に連通する筒部４３とを備えている。保護対象であるグロメット４０は、第１グロメットと第２グロメットの二種類があり、シール部４１の平面形状が異なっている。
【００１７】
例えば、第１グロメットは自動車の車体と左側ドアとの間に配置される左側ドア用グロメット４０Ｌであり、第２グロメットは車体と右側のドアとの間に配置される右側ドア用グロメット４０Ｒを例示できる。
グロメット保護具１０は、シール部４１が変形しないように収容して保護するものであり、第１グロメットおよび第２グロメットの両方に適用できるような形状となっている。
【００１８】
図１および図２に示すように、グロメット保護具１０は、グロメット４０のシール部４１を形状保持して収容するために、一対の壁部である底壁２０と蓋壁３０とを有しており、底壁２０の外周に沿って立設されている側壁２１上に設けられたヒンジ２２を介して蓋部３０が回動自在に設けられている。これにより、底壁２０と蓋壁３０との間にはシール部４１に対応した厚さの空間を確保している。
【００１９】
底壁２０および蓋壁３０は馬蹄形状をしており、グロメット４０の筒部４３が上下方向に設けられている場合にも対応できるように空間２０ａ、３０ａが設けられていて、この空間２０ａと対向する側の側壁２１上端面にヒンジ２２が設けられている。
底壁２０の外周部の左右（図１（Ａ）において左右）位置における側壁２１の外側には、蓋壁３０を閉じた状態で係止するために、可撓性部材からなる係止片２３が設けられており、係止片２３の上端の外側面には係止爪２３ａが外側に突出して設けられている。
一方、蓋壁３０の左右位置で、底壁２０の係止片２３に対応する位置には、係止片２３を係止するための係止部３１が設けられている。
【００２０】
従って、蓋壁３０を閉じて係止片２３を係止部に押込むと、係止片２３が内側に変形して挿入され、復元力により係止爪２３ａが係止部３１に係止されてロックされる。
蓋壁３０を開ける際には、係止片２３を内側に押して変形させ、係止爪２３を係止部３１から外すことにより容易に開けることができる。
【００２１】
図２（Ａ）に示すように、底壁２０の内面には、内側の空間２０ａに沿うようにして、各々一対の第１の突起２４と第２の突起２５が蓋壁３０の方に突出して設けられている。
第１の突起２４は、収容されるシール部４１を底壁２０の内面から浮かして支持するものであり、これにより、垂れ下がっているシール部４１の外周縁が変形しないように保護している。
また、第２の突起２５は、グロメット４０取り付け用の穴４４（図４参照）に対応して設けられており、穴４４に挿嵌することにより収容するシール部４１が移動しないようにしている。
【００２２】
蓋壁３０の左右両端部付近には、グロメット保護具１０によって収容・保護されているグロメット４０を識別するための識別手段としての識別孔３２Ｌ、３２Ｒが設けられている。
また、蓋壁３０のヒンジ２２側には、蓋壁３０を側壁２１の上に被せた際にガタつかないように揺れ止め突起３３が設けられている。識別孔３２Ｌ、３２Ｒを設ける位置は、左用の第１グロメット４０Ｌのシール部４１Ｌと右用の第２グロメット４０Ｒのシール部４１Ｒとの形状の違いがある場所、すなわち、一方のグロメット４０のシール部４１のみにしかない場所とする。
【００２３】
例えば、図３には右用の第２グロメット４０Ｒを収容・保護している場合が示してある。この場合の識別孔３２Ｌ、３２Ｒの拡大図が図５に示してある。この場合には、図５（Ａ）に示すように、右の識別孔３２Ｒからは第２グロメット４０Ｒのシール部４１Ｒが見えている。
一方、図５（Ｂ）に示すように、左の識別孔３２Ｌからはシール部４１Ｒは見えず、底壁２０が見えている。これにより、保護具１０に収容されているグロメット４０は、第２グロメット４０Ｒであることが識別される。
【００２４】
以上説明したグロメット保護具１０を使用する際には、底壁２０から蓋壁３０を開けて、第２の突起２５をグロメット４０のシール部４１に設けられている取り付け用穴４４に挿嵌して、シール部４１の位置決めを行うと共に、第１の突起２４により所定の高さ位置に保持する。
蓋壁３０を閉じて、底壁２０の係止片２３を蓋壁３０の係止部３１に挿入して、係止爪２３によりロックする。
【００２５】
以上、前述したグロメット保護具１０によれば、蓋壁３０を開けなくても、識別孔３２から見えるシール部４１から、左用の第１グロメット４０Ｌか右用の第２グロメット４０Ｒかを該グロメット保護具１０に装着した状態で、左用の第１グロメット４０Ｌか右用の第２グロメット４０Ｒかを容易に識別できる。
【００２６】
なお、本発明のグロメット保護具は、前述した実施形態に限定されるものでなく、適宜な変形，改良等が可能である。
例えば、前述した実施形態においては、左右一対の識別孔２３Ｌ、２３Ｒを設けた場合について説明したが、左右いずれか片方の識別孔３２を設けるようにしてもよい。この場合には、例えば、識別孔３２からシール部４１が見えた場合は右用の第２グロメット４０Ｒが収容・保護されていると識別し、識別孔３２からシール部４１が見えない場合には、左用の第１グロメット４０Ｌが収容・保護されていると判断できる。
なお、三個以上の識別孔を設けることもできる。
【００２７】
また、前述した実施形態においては、円形の識別孔３２を識別手段として設けたが、円形の孔の場合のほか、スリットや種々の形状の切欠きとすることもできる。
また、識別孔３２を蓋壁３０に設けた場合について説明したが、蓋壁３０に識別孔３２を設けるようにすることもできる。
また、底壁２０と蓋壁３０をヒンジ２２を介して一体的に形成したが、底壁２０と蓋壁３０を別体とすることもできる。
【図面の簡単な説明】
【００２８】
【図１】（Ａ）は本発明の実施形態に係るグロメット保護具を開けた状態を外側から見た平面図、（Ｂ）は図１（Ａ）中Ｂ方向から見た側面図である。
【図２】（Ａ）はグロメット保護具を開けた状態を内側から見た平面図、（Ｂ）は図２（Ａ）中Ｂ−Ｂ位置の断面図である。
【図３】グロメットを収容・保護している状態を示す平面図である。
【図４】図３中ＩＶ方向から見た正面図である。
【図５】（Ａ）、（Ｂ）は、識別孔を通して視認される状態を示す説明図である。
【図６】従来のグロメット保護具を示す平面図である。
【符号の説明】
【００２９】
１０  グロメット保護具
２０  底壁（壁部）
３０  蓋壁（壁部）
３２Ｌ、３２Ｒ  識別孔（識別手段）
４０Ｌ  第１グロメット
４０Ｒ  第２グロメット
４１  シール部
４２  貫通孔
４３  筒部
【図１】
2005168130.tif 000003
【図２】
2005168130.tif 000004
【図３】
2005168130.tif 000005
【図４】
2005168130.tif 000006
【図５】
2005168130.tif 000007
【図６】
2005168130.tif 000008